(57)【要約】【課題】被検体の形状は複雑であり、個人差がある。また、被検体内の血管分布は被検者毎に異なっている。そのため、良好な阻血を可能とする血圧測定装置の装着位置は被検者毎に異なる。従って、精度よく血圧測定を行うために被検者毎に血圧測定装置の最適装着位置を探し、血圧測定毎に血圧測定装置を最適装着位置に装着しなければならないという課題があった。そこで、被検者毎に血圧測定装置の最適装着位置を探すことを不要とし、精度よく血圧測定ができる血圧測定装置を提供することを本願の目的とする。【解決手段】本願の発明に係る血圧測定装置は、被検体を挟持することに適した対向する二の端部を有するＵ字型構造アーム、コの字型構造アーム又はＶ字型構造アームのアーム内面の略全面に被検体を加圧するカフを備える。【選択図】図１
2006280791.tif 000002
【特許請求の範囲】
【請求項１】
対向する二の端部を有するＵ字型構造アームと、
液体又は気体の供給と排出により伸縮する袋状のカフと、
を備える血圧測定装置であって、
前記二の端部のうち一の端部から他の端部に至るまで前記Ｕ字型構造アームの前記二の端部が互いに対向する側に沿って存在するアーム内面の略全面に前記カフが配置されていることを特徴とする血圧測定装置。
【請求項２】
前記Ｕ字型構造アームは前記対向する二の端部同士の間隔を変化させる機構を有することを特徴とする請求項１に記載の血圧測定装置。
【請求項３】
前記Ｕ字型構造アームは前記アーム内面に沿って前記カフの周囲を囲う枠を有することを特徴とする請求項１又は２に記載の血圧測定装置。
【請求項４】
対向する二の端部を有するコの字型構造アームと、
液体又は気体の供給と排出により伸縮する袋状のカフと、
を備える血圧測定装置であって、
前記二の端部のうち一の端部から他の端部に至るまで前記コの字型構造アームの前記二の端部が互いに対向する側に沿って存在するアーム内面の略全面に前記カフが配置されていることを特徴とする血圧測定装置。
【請求項５】
前記コの字型構造アームは前記対向する二の端部同士の間隔を変化させる機構を有することを特徴とする請求項４に記載の血圧測定装置。
【請求項６】
前記コの字型構造アームは前記アーム内面に沿って前記カフの周囲を囲う枠を有することを特徴とする請求項４又は５に記載の血圧測定装置。
【請求項７】
対向する二の端部を有するＶ字型構造アームと、
液体又は気体の供給と排出により伸縮する袋状のカフと、
を備える血圧測定装置であって、
前記二の端部のうち一の端部から他の端部に至るまで前記Ｖ字型構造アームの前記二の端部が互いに対向する側に沿って存在するアーム内面の略全面に前記カフが配置されていることを特徴とする血圧測定装置。
【請求項８】
前記Ｖ字型構造アームは前記対向する二の端部同士の間隔を変化させる機構を有することを特徴とする請求項７に記載の血圧測定装置。
【請求項９】
前記Ｖ字型構造アームは前記アーム内面に沿って前記カフの周囲を囲う枠を有することを特徴とする請求項７又は８に記載の血圧測定装置。
【請求項１０】
前記カフの表面のうち前記カフと被検体との非接触部分が非伸縮性の部材で覆われていることを特徴とする請求項１、請求項２、請求項４、請求項５、請求項７又は請求項８に記載の血圧測定装置。
【発明の詳細な説明】
【技術分野】
【０００１】
本発明は、アームにより被検体を挟持する血圧測定装置に関するものである。
【背景技術】
【０００２】
高齢化が進み、成人の生活習慣病への対応が社会的に大きな課題となっている。特に高血圧に関連する疾患の場合、長期の血圧データの収集が非常に重要である点が認識されている。例えば、常時装着を可能とするため被検者の生活に支障が出ないように外耳の一部に装着する小型の血圧測定装置も開発されている（例えば、特許文献１参照。）。この装置は外耳道又は外耳中の他の部位に挿入され、脈拍、脈波、心電、体温、動脈血酸素飽和度、及び血圧などを被検体内へ放射した赤外光、可視光の散乱光の受光量から計算するものである。しかし、この装置は被検体を圧迫するカフを備えておらず、血圧測定時に血圧測定装置が動き、測定箇所が変わるため、測定した血圧の精度に課題があった。
【０００３】
なお、本願では、耳介の名称は非特許文献１、２による。
【特許文献１】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【発明の開示】
【発明が解決しようとする課題】
【０００４】
一方、カフを用いて被検体を圧迫し、血流を阻血して血圧測定をする方式の場合、被測定部を均一に圧迫し、その圧力を制御する必要がある。
【０００５】
しかし、外耳等の被検体は複雑な形状（例えば、非特許文献１、２参照。）をしており、その形状には個人差がある。また、被検体内の血管分布は被検者毎に異なっている。そのため、良好な阻血を可能とする血圧測定装置の装着位置は被検者毎に異なる。従って、精度よく血圧測定を行うために被検者毎に血圧測定装置の最適装着位置を探し、血圧測定毎に血圧測定装置を最適装着位置に装着しなければならないという課題があった。
【０００６】
本願発明は上記課題を解決するためになされたもので、被検者毎に血圧測定装置の最適装着位置を探すことを不要とし、精度よく血圧測定ができる血圧測定装置を提供することを目的とする。
【課題を解決するための手段】
【０００７】
上記目的を達成するために、本願の発明に係る血圧測定装置は、被検体を挟持することに適した対向する二の端部を有するＵ字型構造アーム、コの字型構造アーム又はＶ字型構造アームのアーム内面の略全面に被検体を加圧するカフを備える。
【０００８】
具体的には、本願第一の発明は、対向する二の端部を有するＵ字型構造アームと、液体又は気体の供給と排出により伸縮する袋状のカフと、を備える血圧測定装置であって、前記二の端部のうち一の端部から他の端部に至るまで前記Ｕ字型構造アームの前記二の端部が互いに対向する側に沿って存在するアーム内面の略全面に前記カフが配置されていることを特徴とする血圧測定装置である。
【０００９】
また、本願第二の発明は、対向する二の端部を有するコの字型構造アームと、液体又は気体の供給と排出により伸縮する袋状のカフと、を備える血圧測定装置であって、前記二の端部のうち一の端部から他の端部に至るまで前記コの字型構造アームの前記二の端部が互いに対向する側に沿って存在するアーム内面の略全面に前記カフが配置されていることを特徴とする血圧測定装置である。
【００１０】
さらに、本願第三の発明は、対向する二の端部を有するＶ字型構造アームと、液体又は気体の供給と排出により伸縮する袋状のカフと、を備える血圧測定装置であって、前記二の端部のうち一の端部から他の端部に至るまで前記Ｖ字型構造アームの前記二の端部が互いに対向する側に沿って存在するアーム内面の略全面に前記カフが配置されていることを特徴とする血圧測定装置である。
【００１１】
本願の発明に係る血圧測定装置は、前記対向する二の端部間に挿入された被検体の一定範囲を前記Ｕ字型構造アーム、前記コの字型構造アーム又は前記Ｖ字型構造アームによって両側から挟み込むことができる。従って、前記アーム内面の略全面に配置される前記カフは、前記カフと接触する被検体の一定範囲を覆うことができる。また、前記カフは前記アーム側へは膨張せず、前記対向する二の端部間に挿入された被検体方向に膨張する。従って、前記カフは被検体との接触面により被検体の一定範囲を広く圧迫することができる。さらに、前記カフには柔軟性があるため、前記接触面は被検体が複雑かつ個人差があるような形状であっても膨張時に前記形状に合わせて変形し、被検体を広く均一に加圧することができる。ゆえに、血圧測定装置と被検体との相対位置及び被検体の血管分布に関わらず、前記カフは被検体内の血管を広範囲にわたって良好に阻血することができる。
【００１２】
従って、本願第一、本願第二又は本願第三の発明は、血圧測定装置の最適装着位置を被検者毎に探すことを不要とし、精度よく血圧測定ができる血圧測定装置を提供することができる。
【００１３】
本願第一の発明に係る血圧測定装置において、前記Ｕ字型構造アームは前記対向する二の端部同士の間隔を変化させる機構を有してもよい。
【００１４】
また、本願第二の発明に係る血圧測定装置において、前記コの字型構造アームは前記対向する二の端部同士の間隔を変化させる機構を有してもよい。
【００１５】
さらに、本願第三の発明に係る血圧測定装置において、前記Ｖ字型構造アームは前記対向する二の端部同士の間隔を変化させる機構を有してもよい。
【００１６】
本願の発明に係る血圧測定装置は前記機構を備えることにより前記Ｕ字型構造アーム、前記コの字型構造アーム又は前記Ｖ字型構造アームの前記対向する二の端部間距離を前記被検体の厚みに合わせ変化させることができる。ゆえに、前記血圧測定装置は被検体の厚みに関わらず前記カフは被検体内の血管を広範囲にわたって良好に阻血することができる。
【００１７】
従って、本願第一、本願第二又は本願第三の発明は、血圧測定装置の最適装着位置を被検者毎に探すことを不要とし、精度よく血圧測定ができる血圧測定装置を提供することができる。
【００１８】
本願第一の発明に係る血圧測定装置において、前記Ｕ字型構造アームは前記アーム内面に沿って前記カフの周囲を囲う枠を有してもよい。
【００１９】
また、本願第二の発明に係る血圧測定装置において、前記コの字型構造アームは前記アーム内面に沿って前記カフの周囲を囲う枠を有してもよい。
【００２０】
さらに、本願第三の発明に係る血圧測定装置において、前記Ｖ字型構造アームは前記アーム内面に沿って前記カフの周囲を囲う枠を有してもよい。
【００２１】
前記アーム内面の前記枠により、前記カフはアーム側だけでなく、前記枠と接触する方向への膨張も阻害される。ゆえに、前記カフは開放されている被検体との接触面が膨張することになり、供給された液体又は気体の圧力を被検体に効率よく伝えることができる。
【００２２】
従って、本願第一、本願第二又は本願第三の発明は、血圧測定装置の最適装着位置を被検者毎に探すことを不要とし、精度よく血圧測定ができる血圧測定装置を提供することができる。
【００２３】
本願第一、本願第二又は本願第三の発明に係る血圧測定装置において、前記カフの表面のうち前記カフと被検体との非接触部分が非伸縮性の部材で覆われていることが好ましい。
【００２４】
従って、前記カフはアーム側だけでなく、前記非伸縮性の部材で覆われた部分も膨張が阻害され膨張しない。ゆえに、前記カフは開放されている被検体との接触面が膨張することになり、供給された液体又は気体の圧力を被検体に効率よく伝えることができる。
【００２５】
従って、本願第一、本願第二又は本願第三の発明は、血圧測定装置の最適装着位置を被検者毎に探すことを不要とし、精度よく血圧測定ができる血圧測定装置を提供することができる。
【発明の効果】
【００２６】
本願の発明は、血圧測定装置の最適装着位置を被検者毎に探すことを不要とし、精度よく血圧測定ができる血圧測定装置を提供することができる。
【発明を実施するための最良の形態】
【００２７】
添付の図面を参照して本願発明の実施の形態を説明する。以下に説明する実施の形態は本願発明の構成の例であり、本願発明は、以下の実施の形態に制限されるものではない。
【００２８】
（実施の形態１）
本願第一の発明の実施形態に係る血圧測定装置は、対向する二の端部を有するＵ字型構造アームと、液体又は気体の供給と排出により伸縮する袋状のカフと、を備える血圧測定装置であって、前記二の端部のうち一の端部から他の端部に至るまで前記Ｕ字型構造アームの前記二の端部が互いに対向する側に沿って存在するアーム内面の略全面に前記カフが配置されていることを特徴とする。
【００２９】
図１は、本願第一の発明の一の実施形態に係る血圧測定装置１１１を示す概略図である。血圧測定装置１１１は被検体として外耳の一部である耳珠に装着する。血圧測定装置１１１は図１に示すようにＵ字型構造アーム１０及びカフ１５を備える。なお、図１および以下の図においては、血圧測定装置１１１に関連する表示部、電源部、その他の通常の技術により実現できる部分は表示していない。
【００３０】
Ｕ字型構造アーム１０は第一端部１１及び第二端部１２から構成され、被検体を第一端部１１及び第二端部１２によって挟持するＵ字型形状の一体の構造体である。また、第一端部１１から第二端部１２に至るまでＵ字型構造アーム１０の第一端部１１と第二端部１２とが互いに対向する側、すなわち耳珠を挟持する側に沿った面をアーム内面１０ａとする。なお、Ｕ字型構造アーム１０は耳珠全体を挟持できる程度の大きさであり、アーム内面１０ａは耳珠を一定範囲で挟持できる面積を持つ。
【００３１】
Ｕ字型構造アーム１０は、被検体を挟持し、かつカフ１５からの圧力を受けるため、変形しない部材で形成される。また、外耳の一部に装着するため、軽量であることが求められる。例えば、アルミニウム合金やマグネシウム合金等の金属あるいはアクリルやポリカーボネート等のプラスチックで形成されることが好ましい。
【００３２】
カフ１５はカフ１５の外部に圧力を印加するものである。水等の液体又は空気等の気体が供給又は排気されることで伸縮するように袋状となっており、耳珠の形状に合わせて変形する程度柔軟性を有している。カフ１５は伸縮可能かつ柔軟な素材、例えば、シリコンゴム、天然ゴム等のゴム素材を使用することができる。
【００３３】
カフ１５には液体又は気体を供給するポンプが配管を通じて接続され、さらに、カフ１５内の液体又は気体の圧力を測定する圧力センサも配管を通じて接続されている。前記ポンプ及び圧力センサはＵ字型構造アーム１０に内蔵あるいは外部に設置することができる。なお、前記ポンプ、前記圧力センサ及び前記配管は通常の技術で実現されるために図１及び以下で説明する図面において図示をしていない。カフ１５は前記ポンプにより液体又は気体が供給され膨張し、カフ１５の外部に圧力を印加することができる。一方、カフ１５に供給された液体又は気体を前記ポンプにより排出することでカフ１５は収縮し、外部を圧迫する圧力を弱くすることができる。前記圧力センサによりカフ１５内の液体又は気体の圧力を測定することができ、前記圧力センサの測定したカフ１５内の圧力を外部を圧迫する圧力とすることができる。従って、カフ１５は液体又は気体の供給及び排出を調整することで耳珠を圧迫する圧力を調整することができる。なお、カフ１５のゴム素材の弾性力と図示されない弁の開閉により、前記ポンプを用いず、供給された液体又は気体を排出してもよい。
【００３４】
カフ１５はＵ字型構造アーム１０のアーム内面１０ａの略全面に配置される。従って、カフ１５はアーム内面１０ａの形状に沿ってＵ字形状に折り返され、カフ１５のアーム内面１０ａとの非接触の面（以下、「カフ１５のアーム内面１０ａとの非接触の面」を「膨張面」と略記する。）が対向するように配置される。図１の例においてはカフ１５の対向する膨張面との間に耳珠が挿入されることになる。
【００３５】
Ｕ字型構造アーム１０は変形しない素材で形成されるため、カフ１５の膨張時にはカフ１５はアーム側へ膨張せず、膨張面が膨張することになる。すなわち、Ｕ字型構造アーム１０が耳珠を挟持している場合、耳珠は第一端部１１側の膨張面と第二端部１２側の膨張面とにより圧迫されることになる。
【００３６】
図２に血圧測定装置１１１の装着例を示す。図２は血圧測定装置１１１を耳珠１に装着した例である。図２において図１で用いた符号と同じ符号は同じ構成及び同じ機能である。第二端部１２を外耳道９に挿入し、耳珠１の外耳道９側（以下、「耳珠１の外耳道９側」を「耳珠１の内側」と記載する。）に配置し、第一端部１１を耳珠１の外耳道９の反対側（以下、「耳珠１の外耳道９の反対側」を「耳珠１の外側」と記載する。）に配置するように装着する。図２の血圧測定装置１１１では第二端部１２は耳珠１の内側にあるため、破線で表示している。従って、カフ１５は耳珠１の外側及び耳珠１の内側を広く覆い、広く加圧することができる。さらに、カフ１５には柔軟性があるため、耳珠１が複雑かつ個人差あるような形状であっても、カフ１５は膨張時に耳珠１の形状に合わせて膨張面が変形する。ゆえに、カフ１５は耳珠１を広く均一に加圧することができる。従って、血圧測定装置１１１と耳珠１の相対位置、耳珠１の形状及び耳珠１の血管分布に関わらず、カフ１５は耳珠１内の血管を広範囲にわたって良好に阻血することができる。
【００３７】
血圧測定装置１１１は以下のように動作する。以下の説明ではカフ１５は空気で膨張するものとして説明する。前記圧力センサが所定の値になるまで前記ポンプにより空気を供給し、カフ１５の耳珠１を圧迫する圧力を強くする。カフ１５が圧迫することにより耳珠１内部の血管は広範囲にわたって阻血状態となる。その後、カフ１５内の空気を徐々に排出し、耳珠１を圧迫する圧力を減少させる。耳珠１を圧迫する圧力の減少に伴い、耳珠１の内部で阻血されていた血液が流れ始め、血流による脈動が始まる。前記血流の脈動はカフ１５内の空気を介して前記圧力センサで検出することができる。カフ１５が耳珠１を圧迫する圧力がさらに弱くなると、前記血流の脈動が小さくなり前記圧力センサは脈動を検出できなくなる。例えば、前記血流の脈動が始まったときの前記圧力センサの圧力を収縮期血圧値、前記血流の脈動を検出できなくなったときの前記圧力センサの圧力を拡張期血圧値とすることができる。また、前記圧力センサが検出した脈動の周波数から脈拍数を算出することができる。カフ１５が耳珠１を圧迫しなくなった時点で血圧測定装置１１１は血圧測定を終了する。なお、収縮期血圧値及び拡張期血圧値は血圧値の名称の一例であり、他の名称を使用することもある。
【００３８】
従って、血圧測定装置１１１は、被検者毎に血圧測定装置の最適装着位置を探すことを不要とし、精度よく血圧測定をすることができる。
【００３９】
（実施の形態２）
図３は、本願第一の発明の他の実施形態に係る血圧測定装置１１３を示す概略図である。血圧測定装置１１３は被検体として外耳の一部である耳珠に装着する。図３において、図１及び図２で用いた符号と同じ符号は同じ機能及び同じ動作をする。血圧測定装置１１３は血流の脈動検出手段を、図１の血圧測定装置１１１の前記圧力センサを用いたカフ１５内の圧力変動測定から発光素子及び受光素子を用いた光電測定としたものである。具体的には、図１の血圧測定装置１１１との違いは、血圧測定装置１１３はカフ１５の表面に発光素子１８と受光素子１９とをさらに備えていることである。カフ１５の伸縮部材を光が透過する素材を使用すればカフ１５の内部に備えてもよい。発光素子１８は血液中のヘモグロビンに吸収されやすい波長の照射光Ａを耳珠１に向けて照射する。受光素子１９は耳珠１の血流の脈動に伴う血液中のヘモグロビン量の増減によって照射光Ａが吸収及び散乱して生じた散乱光Ｂを光電変換し、電気信号として出力する。血圧測定装置１１３は前記電気信号の変動を図示しない信号受信回路で処理することにより、血流の脈動に対応する脈波を検出することができる。
【００４０】
血圧測定装置１１３は実施の形態１の血圧測定装置１１１で説明したように動作し、カフ１５は前記圧力センサが所定の値になるまで耳珠１を圧迫する圧力を強くする。カフ１５が耳珠１を圧迫する圧力を減少させる過程において、前記信号受信回路は血流の脈動を前記電気信号として測定する。例えば、前記信号受信回路が前記電気信号の変動を検出し始めたときの前記圧力センサの圧力を収縮期血圧値、前記信号受信回路が前記電気信号の変動を検出できなくなったときの前記圧力センサの圧力を拡張期血圧値とすることができる。また、前記電気信号の変動の周波数から脈拍数を算出することができる。
【００４１】
前記光電測定手段では、血圧測定をするための脈波を得るためには良好な阻血位置に照射光Ａを照射し、散乱光Ｂを受光する必要がある。しかし、被検者の耳珠の形状、血管分布あるいは血圧測定装置１１３と耳珠１との相対位置により、カフ１５上において、被検者毎あるいは血圧測定毎に良好に阻血できる箇所が変わることになる。従って、カフ１５の表面又は内部に複数の発光素子１８及び複数の受光素子１９を備えることが好ましい。
【００４２】
カフ１５の圧迫する耳珠１に複数の発光素子１８が照射光Ａを照射することにより、いずれかの照射光Ａは良好に阻血されている箇所で散乱して散乱光Ｂとなる。散乱光Ｂはいずれかの受光素子１９で受光される。例えば、血圧測定時に脈波が最も大きくなる発光素子１８と受光素子１９の組み合わせを選択することができる。ゆえに、血圧測定装置１１３と耳珠１との相対位置、耳珠１の形状及び耳珠１の血管分布に関わらず精度よく血圧測定をすることができる。
【００４３】
従って、血圧測定装置１１３は、被検者毎に血圧測定装置の最適装着位置を探すことを不要とし、精度よく血圧測定をすることができる。
【００４４】
（実施の形態３）
図４は、本願第一の発明の他の実施形態に係る血圧測定装置１１４を示す概略図である。血圧測定装置１１４は被検体として外耳の一部である耳珠に装着する。図４において、図１で用いた符号と同じ符号は同じ機能及び同じ動作をする。血圧測定装置１１４は耳珠を圧迫する圧力測定手段を前記圧力センサから感圧導電ゴムとしたものである。具体的には、血圧測定装置１１４と図１の血圧測定装置１１１との違いは、血圧測定装置１１１でカフ１５内の圧力を測定していた前記圧力センサを備えず、カフ１５の耳珠１との接触面に感圧導電ゴム４４を備えていることである。
【００４５】
感圧導電ゴムは絶縁性のゴム材料中に炭素、金属等の導電性粒子がほぼ均等に分散された状態で成形されており、圧力を印加しない場合、前記導電性粒子は互いに接触しておらず４０ＭΩ程度の高い電気抵抗値を示している。一方、感圧導電ゴムに圧力を印加すると、前記導電性粒子が接触し始め、ゴム内に導電経路が形成され、圧力に応じ導電経路が増えて電気抵抗値が５Ω程度と低くなる。つまり、感圧導電ゴムは圧力を印加すると電気抵抗値が低くなり、圧力電気抵抗値が高くなる性質を有する。感圧導電ゴム４４には電気抵抗を測定する図示しない電気抵抗測定器が接続され、カフ１５が耳珠１を圧迫する圧力を電気抵抗として測定することができる。
【００４６】
血圧測定装置１１４は実施の形態１の血圧測定装置１１１で説明したように動作し、感圧導電ゴム４４の電気抵抗値が所定の値となるまでカフ１５は耳珠１を圧迫する圧力を強くする。カフ１５が耳珠１を圧迫する圧力を減少させる過程において、感圧導電ゴム４４はカフ１５が耳珠１を圧迫する圧力とともに、耳珠１の脈動を電気抵抗値の変動として測定することができる（以下、「耳珠１の脈動による電気抵抗値の変動」を「脈動電気抵抗値」と略記する。）。例えば、前記電気抵抗器が脈動電気抵抗値を検出し始めたときの感圧導電ゴム４４の電気抵抗値から換算される圧力を収縮期血圧値、前記電気抵抗器が脈動電気抵抗値を検出できなくなったときの感圧導電ゴム４４の電気抵抗値から換算される圧力を拡張期血圧値とすることができる。また、前記脈動電気抵抗値の周波数から脈拍数を算出することができる。
【００４７】
図３の血圧測定装置１１３で説明したように、被検者毎、血圧測定毎に良好な阻血位置が変わるため、カフ１５の耳珠１との接触面に複数の感圧導電ゴムを配置することが好ましい。配置された感圧導電ゴムの位置毎にカフ１５が耳珠１を圧迫する圧力を測定することができる。ゆえに、血圧測定装置１１３と耳珠１との相対位置、耳珠１の形状及び耳珠１の血管分布に関わらず良好に阻血している箇所の圧力を測定することができ、精度よく血圧測定をすることができる。
【００４８】
従って、血圧測定装置１１４は、被検者毎に血圧測定装置の最適装着位置を探すことを不要とし、精度よく血圧測定をすることができる。
【００４９】
（実施の形態４）
本願第一の発明における他の実施形態に係る血圧測定装置は、実施の形態１に係る血圧測定装置において前記Ｕ字型構造アームが前記対向する二の端部同士の間隔を変化させる機構を有していることを特徴とする。
【００５０】
図５は、本願第一の発明における他の実施形態に係る血圧測定装置１１５を示す概略図である。血圧測定装置１１５は被検体として外耳の一部である耳珠に装着する。図５において図１及び図２で用いた符号と同じ符号は同じ構成及び同じ機能である。血圧測定装置１１５と図１の血圧測定装置１１１の違いはＵ字型構造アーム１０の代替として第一端部１１及び第二端部１２の間隔を変化させる調整機構５５を有しているＵ字型構造アーム５０が備えられていることである。
【００５１】
Ｕ字型構造アーム５０は、第一端部１１を有する第一アーム５１、第二端部１２を有する第二アーム５２及び調整機構５５から構成される。第一アーム５１と第二アーム５２とは第一端部１１と第二端部１２とが対向する位置となるように調整機構５５を介して接続される。Ｕ字型構造アーム５０は、図１の血圧測定装置１１１で説明したＵ字型構造アーム１０と同様、被検体を第一端部１１及び第二端部１２によって挟持するＵ字型形状の一体の構造体である。また、第一端部１１から第二端部１２に至るまでＵ字型構造アーム５０の第一端部１１と第二端部１２とが互いに対向する側、すなわち耳珠を挟持する側に沿った面をアーム内面５０ａとする。なお、Ｕ字型構造アーム５０は耳珠全体を挟持できる程度の大きさであり、アーム内面５０ａは耳珠を一定範囲で挟持できる面積を持つ。
【００５２】
Ｕ字型構造アーム５０は、図１の血圧測定装置１１１で説明したＵ字型構造アーム１０と同様に軽量かつ変形しない部材で形成される。
【００５３】
調整機構５５は第一アーム５１と第二アーム５２とがなすアーム角度αを変化させることにより、第一端部１１と第二端部１２との間隔を調整する機能を有する。調整機構５５は、例えば、第一アーム５１と第二アーム５２とを接続する蝶番とすることができる。また、第一アーム５１と第二アーム５２を金属、ゴム等の可塑性あるいは弾性を有した素材で接続してもよい。
【００５４】
血圧測定装置１１５は図２の血圧測定装置１１１と同様に耳珠に装着される。血圧測定装置１１５は装着の際に第一端部１１と第二端部１２との間隔を調整することができるため、耳珠の厚みに関わらず装着することができ、カフ１５を耳珠との適切な接触状態に調整することができる。
【００５５】
血圧測定装置１１５は実施の形態１の血圧測定装置１１１で説明したように血圧測定をする。
【００５６】
従って、血圧測定装置１１５は、被検者毎に血圧測定装置を装着する最適位置を探すことを不要とし、精度よく血圧測定をすることができる。
【００５７】
（実施の形態５）
本願第一の発明における他の実施形態に係る血圧測定装置において、前記Ｕ字型構造アームは前記アーム内面に沿って前記カフの周囲を囲う枠を有する。
【００５８】
図６は、本願第一の発明における他の実施形態に係る血圧測定装置１１６を示す概略図である。血圧測定装置１１６は被検体として外耳の一部である耳珠に装着する。図６において図１及び図２で用いた符号と同じ符号は同じ構成及び同じ機能である。血圧測定装置１１６と図１の血圧測定装置１１１の違いはＵ字型構造アーム１０が枠６１を有していることである。
【００５９】
枠６１は、カフ１５からの圧力を受けるため、変形しない部材で形成される。また、血圧測定装置１１６は耳珠に装着するため、枠６１は軽量であることが求められる。例えば、アルミニウム合金やマグネシウム合金等の金属あるいはアクリルやポリカーボネート等のプラスチックで形成されることが好ましい。
【００６０】
枠６１はアーム内面１０ａに沿ってカフ１５の周囲を囲うように配置される。すなわち、Ｕ字型構造アーム１０が耳珠を挟持する際に耳珠とアーム内面１０ａとの間に生ずる隙間に枠６１が存在することになる。従って、枠６１は液体又は気体の供給されたカフ１５が前記隙間方向に膨張することを防止することができる。カフ１５は耳珠との接触面のみが開放されることになり、カフ１５は開放されている耳珠との接触面が膨張し、供給された液体又は気体の圧力を耳珠に効率よく伝えることができる。
【００６１】
血圧測定装置１１６は実施の形態１の血圧測定装置１１１で説明したように耳珠に装着され、血圧測定をする。
【００６２】
従って、血圧測定装置１１６は、被検者毎に血圧測定装置を装着する最適位置を探すことを不要とし、精度よく血圧測定をすることができる。
【００６３】
（実施の形態６）
図７は、本願第一の発明における他の実施形態に係る血圧測定装置１１７を示す概略図である。血圧測定装置１１７は被検体として外耳の一部である耳珠に装着する。図７において図１、図２、図５及び図６で用いた符号と同じ符号は同じ構成及び同じ機能である。血圧測定装置１１７と図５の血圧測定装置１１５の違いはＵ字型構造アーム５０の第一アーム５１が枠７１を、Ｕ字型構造アーム５０の第二アーム５２が枠７２を有していることである。枠７１及び枠７２は血圧測定装置１１６で説明した枠６１と同じ構成及び同じ機能を持つ。
【００６４】
Ｕ字型構造アーム５０は、図５の血圧測定装置１１５と同様に第一端部１１を有する第一アーム５１、第二端部１２を有する第二アーム５２及び調整機構５５から構成される。
【００６５】
Ｕ字型構造アーム５０においては、調整機構５５を介して第一アーム５１と第二アーム５２が動くため、その動作を妨害しないよう枠７１と枠７２とは第一アーム５１と第二アーム５２とに分離して設置される。従って、枠７１と枠７２との間に隙間を生じる。前記隙間からカフ１５が膨張することを防止するための蛇腹状の蛇腹枠７３を枠７１と枠７２との間に配置してもよい。すなわち、Ｕ字型構造アーム５０が耳珠を挟持する際に耳珠とアーム内面５０ａとの間に生ずる隙間に枠７１、枠７２及び蛇腹枠７３が存在することになり、カフ１５は耳珠との接触面のみが開放されることになる。ゆえに、カフ１５は開放されている耳珠との接触面が膨張し、供給された液体又は気体の圧力を耳珠に効率よく伝えることができる。
【００６６】
血圧測定装置１１７は図５の血圧測定装置１１５で説明したように耳珠に装着され、血圧測定をする。
【００６７】
従って、血圧測定装置１１７は、被検者毎に血圧測定装置を装着する最適位置を探すことを不要とし、精度よく血圧測定をすることができる。
【００６８】
（実施の形態７）
本願第一の発明における他の実施形態に係る血圧測定装置において前記カフの表面のうち前記カフと被検体との非接触部分が非伸縮性の部材で覆われている。
【００６９】
図８は、本願第一の発明における他の実施形態に係る血圧測定装置１１８を示す概略図である。血圧測定装置１１８は被検体として外耳の一部である耳珠に装着する。図８において図１及び図２で用いた符号と同じ符号は同じ構成及び同じ機能である。血圧測定装置１１８と図１の血圧測定装置１１１の違いはカフ１５の一部が非伸縮性の部材１５ａで覆われていることである。
【００７０】
非伸縮性の部材１５ａはカフ１５が緩衝材的役割も有することから柔軟性のある素材であることが好ましい。例えば、綿布、グラスファイバ布を使用することができる。
【００７１】
図８の血圧測定装置１１８ではカフ１５の表面のうちカフ１５とアーム内面１０ａとの非接触部分かつカフ１５と耳珠との非接触部分が非伸縮性の部材１５ａで覆われている。
【００７２】
Ｕ字型構造アーム１０が耳珠を挟持する際に耳珠とアーム内面１０ａとの間に隙間が生ずる。非伸縮性の部材１５ａは液体又は気体が供給されたカフ１５が前記隙間方向に膨張することを防止することができる。ゆえに、カフ１５は耳珠との接触面が膨張することになり、供給された液体又は気体の圧力を耳珠に効率よく伝えることができる。
【００７３】
血圧測定装置１１８は実施の形態１の血圧測定装置１１１で説明したように耳珠に装着され、血圧測定をする。
【００７４】
従って、血圧測定装置１１８は、被検者毎に血圧測定装置を装着する最適位置を探すことを不要とし、精度よく血圧測定をすることができる。
【００７５】
（実施の形態８）
本願第二の発明の実施形態に係る血圧測定装置は、対向する二の端部を有するコの字型構造アームと、液体又は気体の供給と排出により伸縮する袋状のカフと、を備える血圧測定装置であって、前記二の端部のうち一の端部から他の端部に至るまで前記コの字型構造アームの前記二の端部が互いに対向する側に沿って存在するアーム内面の略全面に前記カフが配置されていることを特徴とする。
【００７６】
図９は、本願第二の発明の一の実施形態に係る血圧測定装置１２１を示す概略図である。血圧測定装置１２１は被検体として外耳の一部である耳珠に装着する。血圧測定装置１２１は図９に示すようにコの字型構造アーム１００及びカフ１５を備える。図９において図１及び図２で用いた符号と同じ符号は同じ構成及び同じ機能である。
【００７７】
コの字型構造アーム１００は第一端部１１及び第二端部１２から構成され、被検体を第一端部１１及び第二端部１２によって挟持するコの字型形状の一体の構造体である。また、第一端部１１から第二端部１２に至るまでコの字型構造アーム１００の第一端部１１と第二端部１２とが互いに対向する側、すなわち耳珠を挟持する側に沿った面をアーム内面１００ａとする。なお、コの字型構造アーム１００は耳珠全体を挟持できる程度の大きさであり、アーム内面１００ａは耳珠を一定範囲で挟持できる面積を持つ。
【００７８】
コの字型構造アーム１００は、図１の血圧測定装置１１１のＵ字型構造アーム１０と同様、アルミニウム合金やマグネシウム合金等の金属、アクリルやポリカーボネート等のプラスチック等の変形しない部材で形成されることが好ましい。
【００７９】
カフ１５はコの字型構造アーム１００のアーム内面１００ａの略全面に配置される。従って、カフ１５はアーム内面１００ａの形状に沿ってコの字形状に折り返され、カフ１５のアーム内面１００ａとの非接触の面（以下、「カフ１５のアーム内面１００ａとの非接触の面」を「膨張面」と略記する。）が対向するように配置される。図９の例においてはカフ１５の対向する膨張面との間に耳珠が挿入されることになる。
【００８０】
コの字型構造アーム１００は変形しない素材で形成されるため、カフ１５の膨張時にはカフ１５はアーム１００側へ膨張せず、膨張面が膨張することになる。すなわち、コの字型構造アーム１００が耳珠を挟持している場合、耳珠は第一端部１１側の膨張面と第二端部１２側の膨張面とにより圧迫されることになる。
【００８１】
血圧測定装置１２１は図２の血圧測定装置１１１と同様に耳珠に装着でき、血圧測定装置１２１と耳珠の相対位置、耳珠の形状及び耳珠の血管分布に関わらず、カフ１５は耳珠内の血管を広範囲にわたって良好に阻血することができる。
【００８２】
血圧測定装置１２１は実施の形態１の血圧測定装置１１１で説明したように血圧測定をする。
【００８３】
従って、血圧測定装置１２１は、被検者毎に血圧測定装置の最適装着位置を探すことを不要とし、精度よく血圧測定をすることができる。
【００８４】
なお、血圧測定装置１２１の脈動検出手段を、図３の血圧測定装置１１３と同様に光電測定とすることができる。さらに、血圧測定装置１２１の耳珠を圧迫する圧力測定手段を、図４の血圧測定装置１１４と同様に感圧導電ゴムとすることができる。なお、以下の実施例においても、脈動検出手段を光電測定に、圧力測定手段を感圧導電ゴムとすることができる。
【００８５】
（実施の形態９）
本願第二の発明における他の実施形態に係る血圧測定装置は、実施の形態８に係る血圧測定装置において前記コの字型構造アームが前記対向する二の端部同士の間隔を変化させる機構を有していることを特徴とする。
【００８６】
図１０は、本願第二の発明における他の実施形態に係る血圧測定装置１２５を示す概略図である。血圧測定装置１２５は被検体として外耳の一部である耳珠に装着する。図１０において図１、図２及び図９で用いた符号と同じ符号は同じ構成及び同じ機能である。血圧測定装置１２５と血圧測定装置１２１の違いはコの字型構造アーム１００の代替として第一端部１１及び第二端部１２の間隔を変化させる調整機構１５５を有しているコの字型構造アーム１５０が備えられていることである。
【００８７】
コの字型構造アーム１５０は、第一端部１１を有する第一アーム１５１、第二端部１２を有する第二アーム１５２及び調整機構１５５から構成される。第一アーム１５１と第二アーム１５２とは第一端部１１と第二端部１２とが対向する位置となるように調整機構１５５を介して接続される。コの字型構造アーム１５０は、血圧測定装置１２１で説明したコの字型構造アーム１００と同様、被検体を第一端部１１及び第二端部１２によって挟持するコの字型形状の一体の構造体である。また、第一端部１１から第二端部１２に至るまでコの字型構造アーム１５０の第一端部１１と第二端部１２とが互いに対向する側、すなわち耳珠を挟持する側に沿った面をアーム内面１５０ａとする。なお、コの字型構造アーム１５０は耳珠全体を挟持できる程度の大きさであり、アーム内面１５０ａは耳珠を一定範囲で挟持できる面積を持つ。
【００８８】
コの字型構造アーム１５０は、図９の血圧測定装置１２１で説明したコの字型構造アーム１００と同様に軽量かつ変形しない部材で形成される。
【００８９】
調整機構１５５は第一アーム１５１と第二アーム１５２の角度を変化させて図１０に示すアーム角度αを変化させることにより、第一端部１１と第二端部１２との間隔を調整する機能を有する。調整機構１５５は、図５の血圧測定装置１１５の調整機構５５同様に蝶番とすることができ、金属、ゴム等の可塑性あるいは弾性を有した素材であってもよい。
【００９０】
血圧測定装置１２５は図２の血圧測定装置１１１と同様に耳珠に装着される。血圧測定装置１２５は装着の際に第一端部１１と第二端部１２との間隔を調整することができるため、耳珠の厚みに関わらず装着することができ、カフ１５を耳珠との適切な接触状態に調整することができる。
【００９１】
血圧測定装置１２５は図２の血圧測定装置１１１と同様に耳珠に装着でき、血圧測定装置１２５と耳珠の相対位置、耳珠の形状及び耳珠の血管分布に関わらず、カフ１５は耳珠内の血管を広範囲にわたって良好に阻血することができる。
【００９２】
血圧測定装置１２５は実施の形態１の血圧測定装置１１１で説明したように血圧測定をする。
【００９３】
従って、血圧測定装置１２５は、被検者毎に血圧測定装置を装着する最適位置を探すことを不要とし、精度よく血圧測定をすることができる。
【００９４】
（実施の形態１０）
本願第二の発明における他の実施形態に係る血圧測定装置において、前記コの字型構造アームは前記アーム内面に沿って前記カフの周囲を囲う枠を有する。
【００９５】
図１１は、本願第二の発明における他の実施形態に係る血圧測定装置１２６を示す概略図である。血圧測定装置１２６は被検体として外耳の一部である耳珠に装着する。図１１において図１、図２、図９及び図１０で用いた符号と同じ符号は同じ構成及び同じ機能である。血圧測定装置１２６と血圧測定装置１２１の違いはコの字型構造アーム１００が枠６２を有していることである。
【００９６】
枠６２は、図６の血圧測定装置１１６の枠６１と同様に、アルミニウム合金やマグネシウム合金等の金属、アクリルやポリカーボネート等のプラスチック等の変形しない部材で形成されることが好ましい。
【００９７】
枠６２は、図６の血圧測定装置１１６の枠６１と同様に、アーム内面１００ａに沿ってカフ１５の周囲を囲うように配置される。従って、カフ１５は開放されている耳珠との接触面が膨張し、供給された液体又は気体の圧力を耳珠に効率よく伝えることができる。
【００９８】
血圧測定装置１２６は図２の血圧測定装置１１１と同様に耳珠に装着でき、血圧測定装置１２６と耳珠の相対位置、耳珠の形状及び耳珠の血管分布に関わらず、カフ１５は耳珠内の血管を広範囲にわたって良好に阻血することができる。
【００９９】
血圧測定装置１２６は実施の形態１の血圧測定装置１１１で説明したように血圧測定をする。
【０１００】
従って、血圧測定装置１２６は、被検者毎に血圧測定装置を装着する最適位置を探すことを不要とし、精度よく血圧測定をすることができる。
【０１０１】
（実施の形態１１）
本願第二の発明における他の実施形態に係る血圧測定装置において前記カフの表面のうち前記カフと被検体との非接触部分が非伸縮性の部材で覆われている。
【０１０２】
図１２は、本願第二の発明における他の実施形態に係る血圧測定装置１２８を示す概略図である。血圧測定装置１２８は被検体として外耳の一部である耳珠に装着する。図１２において図１、図２、図８、図９及び図１０で用いた符号と同じ符号は同じ構成及び同じ機能である。血圧測定装置１２８と血圧測定装置１２１の違いはカフ１５の一部が非伸縮性の部材１５ａで覆われていることである。
【０１０３】
図１２の血圧測定装置１２８ではカフ１５の表面のうちカフ１５とアーム内面１００ａとの非接触部分かつカフ１５と耳珠との非接触部分が非伸縮性の部材１５ａで覆われている。ゆえに、カフ１５は耳珠との接触面が膨張することになり、供給された液体又は気体の圧力を耳珠に効率よく伝えることができる。
【０１０４】
血圧測定装置１２８は図２の血圧測定装置１１１と同様に耳珠に装着でき、血圧測定装置１２８と耳珠の相対位置、耳珠の形状及び耳珠の血管分布に関わらず、カフ１５は耳珠内の血管を広範囲にわたって良好に阻血することができる。
【０１０５】
血圧測定装置１２８は実施の形態１の血圧測定装置１１１で説明したように血圧測定をする。
【０１０６】
従って、血圧測定装置１２８は、被検者毎に血圧測定装置を装着する最適位置を探すことを不要とし、精度よく血圧測定をすることができる。
【０１０７】
（実施の形態１２）
本願第三の発明の実施形態に係る血圧測定装置は、対向する二の端部を有するＶ字型構造アームと、液体又は気体の供給と排出により伸縮する袋状のカフと、を備える血圧測定装置であって、前記二の端部のうち一の端部から他の端部に至るまで前記Ｖ字型構造アームの前記二の端部が互いに対向する側に沿って存在するアーム内面の略全面に前記カフが配置されていることを特徴とする。
【０１０８】
図１３は、本願第三の発明の一の実施形態に係る血圧測定装置１３１を示す概略図である。血圧測定装置１３１は被検体として外耳の一部である耳珠に装着する。血圧測定装置１３１は図１３に示すようにＶ字型構造アーム２００及びカフ１５を備える。図１３において図１及び図２で用いた符号と同じ符号は同じ構成及び同じ機能である。
【０１０９】
Ｖ字型構造アーム２００は第一端部１１及び第二端部１２から構成され、被検体を第一端部１１及び第二端部１２によって挟持するＶ字型形状の一体の構造体である。また、第一端部１１から第二端部１２に至るまでＶ字型構造アーム２００の第一端部１１と第二端部１２とが互いに対向する側、すなわち耳珠を挟持する側に沿った面をアーム内面２００ａとする。なお、Ｖ字型構造アーム２００は耳珠全体を挟持できる程度の大きさであり、アーム内面２００ａは耳珠を一定範囲で挟持できる面積を持つ。
【０１１０】
Ｖ字型構造アーム２００は、図１の血圧測定装置１１１のＵ字型構造アーム１０と同様、アルミニウム合金やマグネシウム合金等の金属、アクリルやポリカーボネート等のプラスチック等の変形しない部材で形成されることが好ましい。
【０１１１】
カフ１５はＶ字型構造アーム２００のアーム内面２００ａの略全面に配置される。従って、カフ１５はアーム内面２００ａの形状に沿ってＶ字形状に折り返され、カフ１５のアーム内面２００ａとの非接触の面（以下、「カフ１５のアーム内面２００ａとの非接触の面」を「膨張面」と略記する。）が対向するように配置される。図１３の例においてはカフ１５の対向する膨張面との間に耳珠が挿入されることになる。
【０１１２】
Ｖ字型構造アーム２００は変形しない素材で形成されるため、カフ１５の膨張時にはカフ１５はアーム２００側へ膨張せず、膨張面が膨張することになる。すなわち、Ｖ字型構造アーム２００が耳珠を挟持している場合、耳珠は第一端部１１側の膨張面と第二端部１２側の膨張面とにより広く圧迫されることになる。
【０１１３】
血圧測定装置１３１は図２の血圧測定装置１１１と同様に耳珠に装着でき、血圧測定装置１３１と耳珠の相対位置、耳珠の形状及び耳珠１の血管分布に関わらず、カフ１５は耳珠内の血管を広範囲にわたって良好に阻血することができる。
【０１１４】
血圧測定装置１３１は実施の形態１の血圧測定装置１１１で説明したように血圧測定をする。
【０１１５】
従って、血圧測定装置１３１は、被検者毎に血圧測定装置の最適装着位置を探すことを不要とし、精度よく血圧測定をすることができる。
【０１１６】
（実施の形態１３）
本願第三の発明における他の実施形態に係る血圧測定装置は、実施の形態１２に係る血圧測定装置において前記Ｖ字型構造アームが前記対向する二の端部同士の間隔を変化させる機構を有していることを特徴とする。
【０１１７】
図１４は、本願第三の発明における他の実施形態に係る血圧測定装置１３５を示す概略図である。血圧測定装置１３５は被検体として外耳の一部である耳珠に装着する。図１４において図１、図２及び図１３で用いた符号と同じ符号は同じ構成及び同じ機能である。血圧測定装置１３５と血圧測定装置１３１の違いはＶ字型構造アーム２００の代替として第一端部１１及び第二端部１２の間隔を変化させる調整機構２５５を有しているＶ字型構造アーム２５０が備えられていることである。
【０１１８】
Ｖ字型構造アーム２５０は、第一端部１１を有する第一アーム２５１、第二端部１２を有する第二アーム２５２及び調整機構２５５から構成される。第一アーム１５１と第二アーム１５２とは第一端部１１と第二端部１２とが対向する位置となるように調整機構１５５を介して接続される。Ｖ字型構造アーム２５０は、図１３の血圧測定装置１３１で説明したＶ字型構造アーム２００と同様、被検体を第一端部１１及び第二端部１２によって挟持するコの字型形状の一体の構造体である。また、第一端部１１から第二端部１２に至るまでＶ字型構造アーム２５０の第一端部１１と第二端部１２とが互いに対向する側、すなわち耳珠を挟持する側に沿った面をアーム内面２５０ａとする。なお、Ｖ字型構造アーム２５０は耳珠全体を挟持できる程度の大きさであり、アーム内面２５０ａは耳珠を一定範囲で挟持できる面積を持つ。
【０１１９】
Ｖ字型構造アーム２５０は、図１３の血圧測定装置１３１で説明したＶ字型構造アーム２００と同様に軽量かつ変形しない部材で形成される。
【０１２０】
調整機構２５５は第一アーム２５１と第二アーム２５２の角度を変化させて図１４に示すアーム角度αを変化させることにより、第一端部１１と第二端部１２との間隔を調整する機能を有する。調整機構２５５は、図５の血圧測定装置１１５の調整機構５５同様に蝶番とすることができ、金属、ゴム等の可塑性あるいは弾性を有した素材であってもよい。
【０１２１】
血圧測定装置１３５は図２の血圧測定装置１１１と同様に耳珠に装着される。血圧測定装置１３５は装着の際に第一端部１１と第二端部１２との間隔を調整することができるため、耳珠の厚みに関わらず装着することができ、カフ１５を耳珠との適切な接触状態に調整することができる。
【０１２２】
血圧測定装置１３５は図２の血圧測定装置１１１と同様に耳珠に装着でき、血圧測定装置１３５と耳珠の相対位置、耳珠の形状及び耳珠の血管分布に関わらず、カフ１５は耳珠内の血管を広範囲にわたって良好に阻血することができる。
【０１２３】
血圧測定装置１３５は実施の形態１の血圧測定装置１１１で説明したように血圧測定をする。
【０１２４】
従って、血圧測定装置１３５は、被検者毎に血圧測定装置を装着する最適位置を探すことを不要とし、精度よく血圧測定をすることができる。
【０１２５】
（実施の形態１４）
本願第三の発明における他の実施形態に係る血圧測定装置において、前記Ｖ字型構造アームは前記アーム内面に沿って前記カフの周囲を囲う枠を有する。
【０１２６】
図１５は、本願第三の発明における他の実施形態に係る血圧測定装置１３６を示す概略図である。血圧測定装置１３６は被検体として外耳の一部である耳珠に装着する。図１５において図１、図２、図１３及び図１４で用いた符号と同じ符号は同じ構成及び同じ機能である。血圧測定装置１３６と図１３の血圧測定装置１３１の違いはＶ字型構造アーム２００が枠６３を有していることである。
【０１２７】
枠６３は、図６の血圧測定装置１１６の枠６１と同様に、アルミニウム合金やマグネシウム合金等の金属、アクリルやポリカーボネート等のプラスチック等の変形しない部材で形成されることが好ましい。
【０１２８】
枠６３は、図６の血圧測定装置１１６の枠６１と同様に、アーム内面２００ａに沿ってカフ１５の周囲を囲うように配置される。従って、カフ１５は開放されている耳珠との接触面が膨張し、供給された液体又は気体の圧力を耳珠に効率よく伝えることができる。
【０１２９】
血圧測定装置１３６は図２の血圧測定装置１１１と同様に耳珠に装着でき、血圧測定装置１３６と耳珠の相対位置、耳珠の形状及び耳珠の血管分布に関わらず、カフ１５は耳珠内の血管を広範囲にわたって良好に阻血することができる。
【０１３０】
血圧測定装置１３６は実施の形態１の血圧測定装置１１１で説明したように血圧測定をする。
【０１３１】
従って、血圧測定装置１３６は、被検者毎に血圧測定装置を装着する最適位置を探すことを不要とし、精度よく血圧測定をすることができる。
【０１３２】
（実施の形態１１）
本願第三の発明における他の実施形態に係る血圧測定装置において前記カフの表面のうち前記カフと被検体との非接触部分が非伸縮性の部材で覆われている。
【０１３３】
図１６は、本願第三の発明における他の実施形態に係る血圧測定装置１３８を示す概略図である。血圧測定装置１３８は被検体として外耳の一部である耳珠に装着する。図１６において図１、図２、図８、図１３及び図１４で用いた符号と同じ符号は同じ構成及び同じ機能である。血圧測定装置１３８と図１３の血圧測定装置１３１の違いはカフ１５の一部が非伸縮性の部材１５ａで覆われていることである。
【０１３４】
図１６の血圧測定装置１３８ではカフ１５の表面のうちカフ１５とアーム内面２００ａとの非接触部分かつカフ１５と耳珠との非接触部分が非伸縮性の部材１５ａで覆われている。ゆえに、カフ１５は耳珠との接触面が膨張することになり、供給された液体又は気体の圧力を耳珠に効率よく伝えることができる。
【０１３５】
血圧測定装置１３８は図２の血圧測定装置１１１と同様に耳珠に装着でき、血圧測定装置１３８と耳珠の相対位置、耳珠の形状及び耳珠の血管分布に関わらず、カフ１５は耳珠内の血管を広範囲にわたって良好に阻血することができる。
【０１３６】
血圧測定装置１３８は実施の形態１の血圧測定装置１１１で説明したように血圧測定をする。
【０１３７】
従って、血圧測定装置１３８は、被検者毎に血圧測定装置を装着する最適位置を探すことを不要とし、精度よく血圧測定をすることができる。
【産業上の利用可能性】
【０１３８】
本願発明の血圧測定装置は、健康保持や健康診断のための生体情報を検出する健康器具に適用することができる。
【図面の簡単な説明】
【０１３９】
【図１】本願第一の発明に係る一の実施形態の血圧測定装置を示す概略図である。
【図２】本願第一の発明に係る一の実施形態の血圧測定装置の装着例を示す図である。
【図３】本願第一の発明に係る他の実施形態の血圧測定装置を示す概略図である。
【図４】本願第一の発明に係る他の実施形態の血圧測定装置を示す概略図である。
【図５】本願第一の発明に係る他の実施形態の血圧測定装置を示す概略図である。
【図６】本願第一の発明に係る他の実施形態の血圧測定装置を示す概略図である。
【図７】本願第一の発明に係る他の実施形態の血圧測定装置を示す概略図である。
【図８】本願第一の発明に係る他の実施形態の血圧測定装置を示す概略図である。
【図９】本願第二の発明に係る一の実施形態の血圧測定装置を示す概略図である。
【図１０】本願第二の発明に係る他の実施形態の血圧測定装置を示す概略図である。
【図１１】本願第二の発明に係る他の実施形態の血圧測定装置を示す概略図である。
【図１２】本願第二の発明に係る他の実施形態の血圧測定装置を示す概略図である。
【図１３】本願第三の発明に係る一の実施形態の血圧測定装置を示す概略図である。
【図１４】本願第三の発明に係る他の実施形態の血圧測定装置を示す概略図である。
【図１５】本願第三の発明に係る他の実施形態の血圧測定装置を示す概略図である。
【図１６】本願第三の発明に係る他の実施形態の血圧測定装置を示す概略図である。
【符号の説明】
【０１４０】
１１１、１１３、１１４、１１５、１１６、１１７、１１８、１２１、１２５、１２６、１２８、１３１、１３５、１３６、１３８  血圧測定装置
１  耳珠
９  外耳道
１０、５０  Ｕ字型構造アーム
１０ａ、５０ａ、１００ａ、１５０ａ、２００ａ、２５０ａ  アーム内面
１１  第一端部
１２  第二端部
１５  カフ
１５ａ  非伸縮性の部材
１８  発光素子
１９  受光素子
４４  感圧導電ゴム
５１、１５１、２５１  第一アーム
５２、１５２、２５２  第二アーム
５５、１５５、２５５  調整機構
６１、６２、６３、７１、７２  枠
７３  蛇腹枠
１００、１５０  コの字型構造アーム
２００、２５０  Ｖ字型構造アーム
Ａ  照射光
Ｂ  散乱光
α  アーム角度
【図１】
2006280791.tif 000003
【図２】
2006280791.tif 000004
【図３】
2006280791.tif 000005
【図４】
2006280791.tif 000006
【図５】
2006280791.tif 000007
【図６】
2006280791.tif 000008
【図７】
2006280791.tif 000009
【図８】
2006280791.tif 000010
【図９】
2006280791.tif 000011
【図１０】
2006280791.tif 000012
【図１１】
2006280791.tif 000013
【図１２】
2006280791.tif 000014
【図１３】
2006280791.tif 000015
【図１４】
2006280791.tif 000016
【図１５】
2006280791.tif 000017
【図１６】
2006280791.tif 000018